(57)【要約】【課題】ユーザの要望により後付け可能なオプションとしてグリップヒータ３０ａ及びシートヒータ３６ａが追加される場合、グリップヒータ３０ａ及びシートヒータ３６ａの作動によってこれらヒータの電力供給源となるバッテリ１６の蓄電量が不足するおそれがあること。【解決手段】グリップヒータ３０ａ及びシートヒータ３６ａの電力供給源を風力発電機１８とする。こうした構成において、車輪速センサ６０の出力値から算出される車両の走行速度と、外気温センサ６２の出力値から算出される外気温度とに基づき、グリップ温度センサ５４に基づき算出されるグリップヒータ３０ａの温度（グリップ温度）及びシート温度センサ５６の出力値に基づき算出されるシートヒータ３６ａの温度（シート温度）の目標値を算出する。そしてグリップ温度及びシート温度を上記目標値に制御する。【選択図】      図３
2011173575.tif 000002
【特許請求の範囲】
【請求項１】
車両の走行動力源となる回転電機と、該回転電機に給電する蓄電池と、ユーザと接触する車載部品を加熱するためのヒータとを備える電動車両に適用され、
前記車両には、前記車両の走行に伴い生じる風力によって発電する風力発電機が備えられ、
前記風力発電機の発電電力を前記ヒータに供給することで前記車載部品を加熱させる制御手段を備えることを特徴とする電動車両の制御装置。
【請求項２】
前記制御手段は、前記ヒータの温度の目標値として設定可能な上限値を、前記風力発電機によって発電可能な電力が大きいほど高くすることを特徴とする請求項１記載の電動車両の制御装置。
【請求項３】
前記制御手段は、前記ヒータの温度を前記目標値に制御し、前記車両の走行速度が高いほど前記目標値を高く設定することを特徴とする請求項２記載の電動車両の制御装置。
【請求項４】
前記制御手段は、前記ヒータの温度を前記目標値に制御し、ユーザによって指示される前記車両の要求トルクが大きいほど前記目標値を高く設定することを特徴とする請求項２記載の電動車両の制御装置。
【請求項５】
前記制御手段は、前記ヒータの温度をその目標値に制御し、外気温度が高いほど前記目標値を低く設定することを特徴とする請求項１〜４のいずれか１項に記載の電動車両の制御装置。
【請求項６】
前記制御手段は、前記ヒータの温度が前記目標値以上となる場合、前記ヒータへの給電を停止させ、前記風力発電機の発電電力によって前記蓄電池を充電することを特徴とする請求項３〜５のいずれか１項に記載の電動車両の制御装置。
【請求項７】
前記制御手段は、外気温度が規定温度を上回る場合、前記ヒータへの給電を停止させることを特徴とする請求項１〜６のいずれか１項に記載の電動車両の制御装置。
【請求項８】
前記風力発電機は、前記車両の走行に伴い該車両に吹き付けられる風を導入する送風通路と、該送風通路に導入された風によって回転する回転体とを備えて構成されるものであって且つ、前記回転体の回転によって発電するものであり、
前記送風通路は、該送風通路の通路面積が前記回転体に近づくほど小さくされる状態を維持しつつ該通路面積を可変とする機構を備えるものであり、
前記車両には、前記機構を操作するためのアクチュエータが更に備えられ、
前記制御手段は、前記車両の走行速度が高いほど、前記送風通路の通路面積を小さくするように前記アクチュエータを操作することを特徴とする請求項１〜７のいずれか１項に記載の電動車両の制御装置。
【請求項９】
前記車載部品を加熱するためのヒータとは、グリップヒータ及びシートヒータのうち少なくとも一方であることを特徴とする請求項１〜８のいずれか１項に記載の電動車両の制御装置。
【発明の詳細な説明】
【技術分野】
【０００１】
本発明は、車両の走行動力源となる回転電機と、該回転電機に給電する蓄電池と、ユーザと接触する車載部品を加熱するためのヒータとを備える電動車両に適用される電動車両の制御装置に関する。
【背景技術】
【０００２】
従来、下記特許文献１に見られるように、車載蓄電池と、この蓄電池から給電されて車両の走行動力源となるモータとを備える電動２輪車両が知られている。
【０００３】
ところで、上記車両には、ユーザの要望により後付け可能なオプションとして、下記特許文献２に見られるようなヒータ（グリップヒータ）が設けられることがある。上記ヒータは、蓄電池から給電されて加熱される。これにより、冬期等、外気温度が低い場合にユーザの快適性を向上させることが可能となる。
【先行技術文献】
【特許文献】
【０００４】
【特許文献１】特開平１１−２５７４７８号公報
【特許文献２】特開平５−２５４４７６号公報
【発明の概要】
【発明が解決しようとする課題】
【０００５】
ここで上記電動車両においては、ヒータの電力供給源が蓄電池のみとなる。このため、オプションとしてヒータが追加されると、ヒータに給電されることで蓄電池の蓄電量が不足することがある。この場合、車両の走行動力源となる回転電機への給電量が不足することで、電動車両の航続距離が想定したものよりも短くなる等、ユーザの希望する車両の走行を適切に実現することができなくなるおそれがある。ここでヒータへの給電に伴う蓄電池の蓄電量が不足する事態を回避すべく、電動車両の設計段階においてヒータがオプションとして追加される場合を想定し、ヒータの最大消費電力に見合った蓄電池の搭載数や容量を決定することも考えられる。しかしながら、車両の搭載スペースの制約によって蓄電池の搭載数が制約されたり、蓄電池の容量を大きくすることでコストが増大したりすることが懸念される。
【０００６】
本発明は、上記課題を解決するためになされたものであり、その目的は、蓄電池の蓄電量が不足することによって、ユーザの希望する車両走行を適切に実現できなくなる事態の発生を好適に抑制することのできる電動車両の制御装置を提供することにある。
【課題を解決するための手段】
【０００７】
以下、上記課題を解決するための手段、及びその作用効果について記載する。
【０００８】
請求項１記載の発明は、車両の走行動力源となる回転電機と、該回転電機に給電する蓄電池と、ユーザと接触する車載部品を加熱するためのヒータとを備える電動車両に適用され、前記車両には、前記車両の走行に伴い生じる風力によって発電する風力発電機が備えられ、前記風力発電機の発電電力を前記ヒータに供給することで前記車載部品を加熱させる制御手段を備えることを特徴とする。
【０００９】
上記発明では、車載部品を加熱するヒータの電力供給源を風力発電機とするため、ヒータへの給電に伴い蓄電池の蓄電量が低下しない。これにより、蓄電池の蓄電量が不足することによって、ユーザの希望する車両走行を適切に実現できなくなる事態の発生を好適に抑制することができる。
【００１０】
請求項２記載の発明は、請求項１記載の発明において、前記制御手段は、前記ヒータの温度の目標値として設定可能な上限値を、前記風力発電機によって発電可能な電力が大きいほど高くすることを特徴とする。
【００１１】
車両の走行速度が高くなると、走行に伴いユーザに吹き付けられる風が強くなり、ユーザの体感温度が低くなる。このため、車両の走行速度が高い状況下においてヒータの温度を高く設定することで、ユーザの快適性を向上させることが可能となる。ただしこの場合、ヒータの消費電力が増大する。ここで車両の走行速度が高くなると、走行に伴い風力発電機に供給される風量が多くなり、ヒータへの電力供給源となる風力発電機の発電可能な電力が増大する。この点に鑑み、上記発明では、ヒータの温度の目標値（目標温度）として設定可能な上限値を、風力発電機の発電可能な電力が大きいほど高くする。これにより、車両の走行速度が高くなる等、ユーザの体感温度が低くなる状況下においてヒータの温度を高く設定することが可能となり、ひいてはユーザの快適性を向上させることができる。
【００１２】
請求項３記載の発明は、請求項２記載の発明において、前記制御手段は、前記ヒータの温度を前記目標値に制御し、前記車両の走行速度が高いほど前記目標値を高く設定することを特徴とする。
【００１３】
上記発明では、車両の走行速度が高いほど、目標温度を高く設定する。これにより、車両の走行状態に応じてヒータの温度を調節することができ、ひいてはユーザの快適性をより好適に向上させることができる。
【００１４】
請求項４記載の発明は、請求項２記載の発明において、前記制御手段は、前記ヒータの温度を前記目標値に制御し、ユーザによって指示される前記車両の要求トルクが大きいほど前記目標値を高く設定することを特徴とする。
【００１５】
一般に、ユーザによって指示される車両の要求トルクが大きくなると、車両の力行に用いられる回転電機の生成トルクが増大するため、車両の走行速度が高くなる傾向にある。車両の走行速度が高くなると、走行に伴い風力発電機に供給される風量が多くなり、風力発電機の発電可能とする電力が増大する。この点に鑑み、上記発明では、上記要求トルクが大きいほど、目標温度を高く設定する。これにより、車両の走行状態に応じてヒータの温度を調節することができ、ひいてはユーザの快適性をより好適に向上させることができる。
【００１６】
請求項５記載の発明は、請求項１〜４のいずれか１項に記載の発明において、前記制御手段は、前記ヒータの温度をその目標値に制御し、外気温度が高いほど前記目標値を低く設定することを特徴とする。
【００１７】
外気温度が高くなるとユーザの体感温度が高くなるため、ユーザがヒータ温度の上昇を望まないと考えられる。この点に鑑み、上記発明では、外気温度が高いほどヒータの温度の目標値（目標温度）を低く設定する。これにより、ユーザの快適性を適切に維持することができる。
【００１８】
請求項６記載の発明は、請求項３〜５のいずれか１項に記載の発明において、前記制御手段は、前記ヒータの温度が前記目標値以上となる場合、前記ヒータへの給電を停止させ、前記風力発電機の発電電力によって前記蓄電池を充電することを特徴とする。
【００１９】
上記発明では、ヒータへの給電が停止される場合に風力発電機の発電電力を蓄電池に充電することで、蓄電池の蓄電量を増大させる。これにより、ユーザの希望する車両走行を適切に実現することなどができる。
【００２０】
請求項７記載の発明は、請求項１〜６のいずれか１項に記載の発明において、前記制御手段は、外気温度が規定温度を上回る場合、前記ヒータへの給電を停止させることを特徴とする。
【００２１】
外気温度が高いと、ユーザの体感温度が高くなるため、ユーザがヒータの作動を希望しないと考えられる。この点に鑑み、上記発明では、上記態様にてヒータへの給電を停止させることで、ユーザの快適性を適切に維持することができる。
【００２２】
請求項８記載の発明は、請求項１〜７のいずれか１項に記載の発明において、前記風力発電機は、前記車両の走行に伴い該車両に吹き付けられる風を導入する送風通路と、該送風通路に導入された風によって回転する回転体とを備えて構成されるものであって且つ、前記回転体の回転によって発電するものであり、前記送風通路は、該送風通路の通路面積が前記回転体に近づくほど小さくされる状態を維持しつつ該通路面積を可変とする機構を備えるものであり、前記車両には、前記機構を操作するためのアクチュエータが更に備えられ、前記制御手段は、前記車両の走行速度が高いほど、前記送風通路の通路面積を小さくするように前記アクチュエータを操作することを特徴とする。
【００２３】
車両の走行速度が高くなると、走行に伴い送風通路に吹き付けられる風による空気抵抗が増大することで、同一の走行速度で走行するために要する回転電機の生成トルクが増大し、蓄電池の蓄電量の低下度合いが増大するおそれがある。また、車両の走行速度が高くなると、回転体に供給される風量が過度に多くなることで、回転体の回転速度が過度に高くなることに起因して風力発電機の信頼性が低下するおそれもある。この点、上記発明では、車両の走行速度が高い状況下において上記アクチュエータの操作により送風通路の通路面積を小さくすることで、空気抵抗が増大したり、風力発電機の信頼性が低下したりする事態の発生を極力抑制することができる。
【００２４】
請求項９記載の発明は、請求項１〜８のいずれか１項に記載の発明において、前記車載部品を加熱するためのヒータとは、グリップヒータ及びシートヒータのうち少なくとも一方であることを特徴とする。
【００２５】
上記発明では、グリップヒータやシートヒータによってユーザの快適性を好適に向上させることができる。
【図面の簡単な説明】
【００２６】
【図１】一実施形態にかかる電動２輪車両の側面図及び正面図。
【図２】一実施形態にかかる送風通路の可変機構の概略を示す図。
【図３】一実施形態にかかるシステム構成図。
【図４】一実施形態にかかるヒータ温度制御処理の手順を示すフローチャート。
【図５】一実施形態にかかるヒータ目標温度の設定手法の概要を示す図。
【図６】その他の実施形態にかかるヒータ目標温度の設定手法の概要を示す図。
【発明を実施するための形態】
【００２７】
以下、本発明にかかる制御装置を、走行動力源として回転電機を備える電動２輪車両（電動バイク）に適用した一実施形態について、図面を参照しつつ説明する。
【００２８】
図１に本実施形態にかかる電動２輪車両の全体構成を示す。
【００２９】
図１（ａ）に示すように、電動２輪車両１０は、車体フレーム、前輪（操舵輪１２）、後輪（駆動輪１４）、バッテリ１６、風力発電機１８及び駆動装置２０等を備えて構成されている。車体フレームは、メインフレーム２２ｍ、サイドフレーム２２ｓ及びリアフレーム２２ｒ等を備えて構成されている。詳しくは、メインフレーム２２ｍの一端には、ヘッドパイプ２４が接続され、ヘッドパイプ２４には、操舵軸２６が回転自在に設けられている。操舵軸２６の一端には、フロントフォーク２８を介して操舵輪１２が設けられている。一方、操舵軸２６の他端には、操舵部材であるハンドル２９が接続されている。そしてハンドル２９の両端には、グリップ３０がそれぞれ設けられている。ここでグリップ３０の内部には、バッテリ１６からの給電によってグリップ３０を加熱するグリップヒータ３０ａが設けられている。グリップヒータ３０ａは、冬期等、外気温度が低い場合にユーザの手を暖めて、ユーザの快適性を向上させるために設けられるものである。なお、グリップ３０の一方は、ユーザが車両要求トルクを指示するアクセルグリップとなっている。また、上記ヘッドパイプ２４の車両前方側及び車両後方側には、フロントカバー３２及びレッグシールド３４がヘッドパイプ２４を囲むように設けられている。
【００３０】
上記メインフレーム２２ｍの他端には、サイドフレーム２２ｓを介してリアフレーム２２ｒが接続されている。リアフレーム２２ｒの上方には、シート３６が設けられている。ここでシート３６内部には、バッテリ１６からの給電によってシート３６を加熱するシートヒータ３６ａが設けられている。シートヒータ３６ａは、上記グリップヒータ３０ａと同様に、ユーザの快適性を向上させるために設けられるものである。
【００３１】
上記サイドフレーム２２ｓの下方には、バッテリ収容室３８が形成されている。バッテリ収容室３８には、バッテリ１６及び風力発電機１８が設けられている。ここでバッテリ１６は、複数の蓄電池（例えば鉛蓄電池、ニッケル水素電池、リチウム電池等）の直列接続体からなるものである。また、風力発電機１８は、筒状の送風通路１８ａ、回転体（風車１８ｂ）及び発電機（交流発電機１８ｃ）等を備えて構成されており、車両の走行に伴い生じる風力によって発電するものである。詳しくは、バッテリ収容室３８の車両前方側には、走行に伴い車両に吹き付けられる風（走行風）を導入可能な開口部が形成されており、送風通路１８ａは、その軸方向を走行方向とすることで走行風を導入可能なように設けられている（図１（ｂ）に走行方向に直交する断面図を示す）。そして送風通路１８ａに導入された風によって風車１８ｂが回転することで交流発電機１８ｃが発電する。具体的には、車両の走行速度が高いほど、送風通路１８ａに導入される風の速度が高くなることで、風車１８ｂの回転速度が高くなり、交流発電機１８ｃの発電電力が増大する。
【００３２】
上記送風通路１８ａの通路形状は、図２に示すように、この通路の通路面積が風車１８ｂに近づくほど（走行方向後方ほど）小さくなるように決定されている。これは、風力発電機１８の発電可能な電力を増大させるためである。つまり、送風通路１８ａにおいて、走行風の導入部付近の通路面積Ａｉｎよりも風車１８ｂ付近の通路面積Ａｏｕｔが小さいため、上記導入部付近よりも風車１８ｂ付近の風速が上昇することで風車１８ｂの回転速度が上昇し、上記発電可能な電力が増大する。これにより、例えば車両の走行速度が低い場合であっても風力発電機の発電可能な電力の低下を極力抑制することが可能となる。ここで本実施形態では、風車１８ｂに近づくほど送風通路１８ａの通路面積が小さくされる状態を維持しつつ上記通路面積を可変とする機構が送風通路１８ａに備えられている。そして上記機構がアクチュエータ（通路用アクチュエータ１８ｄ）によって操作されることで、上記風車１８ｂ付近の通路面積Ａｏｕｔを維持しつつ上記導入部付近の通路面積Ａｉｎが調節される。具体的には、上記機構は、送風通路１８ａの内径が調節されることによって送風通路１８ａの通路面積を可変とするものである。これにより、通路用アクチュエータ１８ｄの操作によって上記内径が調節されることで送風通路１８ａの通路面積が調節される。
【００３３】
次に、図３を用いて、本実施形態にかかる車載機器のシステム構成について説明する。
【００３４】
図３に、本実施形態にかかるシステム構成図を示す。
【００３５】
図示されるように、駆動装置２０は、発電機兼電動機であるモータジェネレータ４０及び変速装置４２等を備えて構成されている。モータジェネレータ４０は、バッテリ１６を電力供給源として駆動輪１４を駆動するための電動機の機能と、車両の減速時において車両の運動エネルギを電気エネルギに変換し、変換された電気エネルギによってバッテリ１６を充電するための発電機の機能とを有するものである。詳しくは、モータジェネレータ４０の生成トルクは、変速装置４２を介して駆動輪１４へと伝達される。なお、変速装置４２に備えられるアクチュエータ（変速用アクチュエータ４２ａ）が操作されることで変速装置４２の変速比が定まる。そしてモータジェネレータ４０の回転速度は、上記変速比に従った駆動輪１４の回転速度に変換される。
【００３６】
上記風力発電機１８には、コントロールユニット４４内のスイッチ４６を介して、上記グリップヒータ３０ａ及びシートヒータ３６ａと、バッテリ１６とが選択的に接続可能となっている。詳しくは、風車１８ｂが回転することで交流発電機１８ｃから出力される交流電流は、コントロールユニット４４内の整流器４８（例えば全波整流器）によって直流電流に変換され、変換された直流電流がスイッチ４６を介して上記いずれかに出力される。
【００３７】
上記コントロールユニット４４は、ＣＰＵ、ＲＡＭ、ＲＯＭ等からなる制御装置（ＥＣＵ５０）及びインバータ５２等を備えて構成されている。ＥＣＵ５０は、車載機器の各種制御に必要な各種アクチュエータを操作する制御装置である。ＥＣＵ５０は、グリップヒータ３０ａの温度（グリップ温度）を検出するグリップ温度センサ５４や、シートヒータ３６ａの温度（シート温度）を検出するシート温度センサ５６、ユーザのアクセルグリップの操作量（スロットル操作量）を検出するスロットルセンサ５８、車両の走行速度を検出すべく駆動輪１４付近に設けられる車輪速センサ６０、更には外気温度を検出する外気温センサ６２の検出信号を逐次入力する。またＥＣＵ５０は、モータジェネレータ４０の回転子の回転速度を検出するエンコーダ６４、モータジェネレータ４０に通電される電流値を検出する電流センサ６６、更にはバッテリ１６の電圧を検出する図示しないバッテリセンサ等の検出信号も逐次入力する。ＥＣＵ５０は、これらの入力信号に基づき、変速用アクチュエータ４２ａの操作による変速装置４２の変速制御や、グリップヒータ３０ａ及びシートヒータ３６ａと、バッテリ１６とのいずれに風力発電機１８の発電電力を供給するかの切替制御、インバータ５２の操作によるモータジェネレータ４０のトルク制御等を行う。ここで上記トルク制御について詳述すると、まず、スロットルセンサ５８の出力値に基づくスロットル操作量に基づき、車両要求トルクを設定する。具体的には、スロットル操作量が大きいほど、上記車両要求トルクを大きく設定する。次に、設定された車両要求トルクに基づきモータジェネレータ４０へ通電する電流値の目標値（目標電流値）を設定する。具体的には、上記車両要求トルクが大きいほど、目標電流値を高く設定する。そして電流センサ６６に基づき算出される実際の電流値を上記目標電流値に制御すべくインバータ５２を操作する。
【００３８】
特にＥＣＵ５０は、グリップ温度及びシート温度をその目標値（ヒータ目標温度）に制御する処理であるヒータ温度制御処理を行う。以下、この処理について詳述する。
【００３９】
図４に、本実施形態にかかるヒータ温度制御処理の手順を示す。この処理は、ＥＣＵ５０によって、例えば所定周期で繰り返し実行される。
【００４０】
この一連の処理では、まずステップＳ１０において、車両の走行速度Ｖが規定速度Ｖαよりも高いか否かを判断する。この処理は、グリップ温度及びシート温度を上昇可能な風力発電機１８の発電電力が見込めるか否かを判断するための処理である。つまり、車両の走行速度Ｖが低いと、走行に伴い送風通路１８ａに導入される風量が少なくなり、風車１８ｂの回転速度の上昇が見込めなくなる。このため、風力発電機１８の発電可能な電力が過度に少なくなることで、グリップヒータ３０ａ及びシートヒータ３６ａに給電することができなくなるおそれがある。なお、上記規定速度Ｖαは、例えば風力発電機１８の発電特性（車両の走行速度Ｖ、風車１８ｂの回転速度及び交流発電機１８ｃの発電可能な電力が関係付けられた特性）に基づき予め設定すればよい。また、車両の走行速度Ｖは、車輪速センサ６０の出力値に基づき算出すればよい。
【００４１】
ステップＳ１０において車両の走行速度Ｖが規定速度Ｖαよりも高いと判断された場合には、ステップＳ１２に進み、車両の走行速度Ｖに基づき送風通路１８ａの通路面積を調節する処理（通路面積可変処理）を行う。詳しくは、車両の走行速度Ｖが高いほど、上記通路用アクチュエータ１８ｄの操作によって送風通路１８ａの通路面積を小さくする処理を行う。この処理は、車両の走行に伴う空気抵抗を低減したり、風力発電機１８の信頼性の低下を抑制したりするための処理である。つまり、車両の走行速度Ｖが高くなると、送風通路１８ａに吹き付けられる風によって空気抵抗が増大する。空気抵抗が増大すると、同一の車両の走行速度Ｖで走行するために要するモータジェネレータ４０の生成トルクが増大し、バッテリ１６の蓄電量の低下度合いが増大するおそれがある。また、車両の走行速度Ｖが高くなると、風車１８ｂに供給される風量が過度に多くなり、風車１８ｂの回転速度が過度に高くなることに起因して風力発電機１８の信頼性が低下するおそれもある。このため、車両の走行速度Ｖに基づき上記態様にて送風通路１８ａの通路面積を調節することで、車両の走行速度Ｖが高い状況下において、空気抵抗が増大したり、風力発電機１８の信頼性が低下したりする事態の発生を極力抑制する。ちなみに、車両の走行速度Ｖが高い状況下においては、風車１８ｂに供給される風量が十分である。このため、上記通路面積を小さくする処理を行ったとしても、風力発電機１８の発電可能な電力はグリップヒータ３０ａ等に給電する上で十分であると考えられる。
【００４２】
続くステップＳ１４では、外気温度Ｔｏｕｔが規定温度Ｔαよりも低いか否かを判断する。この処理は、ユーザの快適性を維持するための処理である。つまり、外気温度Ｔｏｕｔが高いと、ユーザの体感温度が高くなるため、ユーザがグリップヒータ３０ａ及びシートヒータ３６ａの作動を希望しないと考えられる。なお、上記規定温度Ｔαは、外気温度Ｔｏｕｔが様々な温度となる状況下において、グリップヒータ３０ａ等の作動によってユーザの快適性が損なわれるか否かを予め測定した結果に基づき設定すればよい。また、外気温度Ｔｏｕｔは、外気温センサ６２の出力値に基づき算出すればよい。
【００４３】
ステップＳ１４において外気温度Ｔｏｕｔが規定温度Ｔαよりも低いと判断された場合には、ステップＳ１６に進み、車両の走行速度Ｖ及び外気温度Ｔｏｕｔに基づき、上記ヒータ目標温度を算出する。以下、ヒータ目標温度の算出手法について詳述する。
【００４４】
本実施形態では、グリップヒータ３０ａ及びシートヒータ３６ａのヒータ目標温度を共通の値に設定し、車両の走行速度Ｖが高かったり、外気温度Ｔｏｕｔが低かったりするほどヒータ目標温度を高くする。これは、ユーザの快適性を向上させるための設定である。つまり、車両の走行速度Ｖが高くなると、走行に伴いユーザに吹き付けられる風が強くなるため、ユーザの体感温度が低くなる。このため、グリップ温度及びシート温度を高く設定することで、ユーザの快適性を向上させる。ここでグリップ温度等を高くするとこれらヒータの消費電力が増大するものの、車両の走行速度Ｖが高くなることによって風力発電機１８に供給される風量が多くなり、風力発電機１８の発電可能な電力が増大する。したがって、車両の走行速度Ｖに応じてヒータ目標温度が高く設定される場合であっても、グリップヒータ３０ａ等の消費電力を賄うことが可能となる。一方、外気温度Ｔｏｕｔが高くなるとユーザの体感温度が高くなるため、ユーザがヒータ目標温度の上昇を望まないと考えられる。このため、外気温度Ｔｏｕｔが高いほど、ヒータ目標温度を低く設定することで、ユーザの快適性を維持する。
【００４５】
ここで本実施形態では、車速補正係数Ｋｖ及び外気温補正係数Ｋｔを、ヒータ目標温度の基本となる値であるヒータ基本温度に乗算した値としてヒータ目標温度を算出する。ここで車速補正係数Ｋｖは、図５（ａ）に示すように、車両の走行速度Ｖが第１の所定速度Ｖ１（＞０）未満である場合に０となり、車両の走行速度Ｖが第１の所定速度Ｖ１以上であって且つ第１の所定速度Ｖ１よりも高い第２の所定速度Ｖ２以下となる場合に車両の走行速度Ｖに比例して大きくなり、車両の走行速度Ｖが第２の所定速度Ｖ２を上回る場合に１よりも大きい固定値となるように設定される。なお、上記第１の所定速度Ｖ１は、例えば先の図４のステップＳ１０の処理における規定速度Ｖαと同じ値に設定すればよい。また、上記第２の所定速度Ｖ２は、風力発電機１８の発電可能な電力が上限値に達すると想定される値に設定されるものであり、例えば風力発電機１８の発電特性に基づき予め設定すればよい。
【００４６】
一方、外気温補正係数Ｋｔは、図５（ｂ）に示すように、外気温度Ｔｏｕｔが第１の所定温度Ｔ１（＞０）未満である場合に１よりも大きな固定値となり、外気温度Ｔｏｕｔが第１の所定温度Ｔ１以上であって且つ第１の所定温度Ｔ１よりも高い第２の所定温度Ｔ２以下となる場合に外気温度Ｔｏｕｔに比例して小さくなり、外気温度Ｔｏｕｔが第２の所定温度Ｔ２を上回る場合に０となるように設定される。
【００４７】
なお、上記第１の所定温度Ｔ１は、グリップヒータ３０ａ等の作動をユーザが要求すると想定される温度の上限値として設定されるものであり、上記第２の所定温度Ｔ２は、グリップヒータ３０ａ等の停止をユーザが要求すると想定される値に設定されるものである。これらの値は、例えば外気温度Ｔｏｕｔが様々な温度となる状況下においてグリップヒータ３０ａ等の作動をユーザが要求するか否かを予め測定した結果に基づき設定すればよい。
【００４８】
図４の説明に戻り、続くステップＳ１８では、グリップ温度及びシート温度の双方がヒータ目標温度よりも低いか否かを判断する。なお、グリップ温度は、グリップ温度センサ５４の出力値に基づき算出し、シート温度は、シート温度センサ５６の出力値に基づき算出すればよい。ステップＳ１８においてグリップ温度及びシート温度の双方がヒータ目標温度よりも低いと判断された場合には、ステップＳ２０に進み、グリップヒータ３０ａ及びシートヒータ３６ａへの給電を継続させる。一方、上記ステップＳ１４、Ｓ１８において否定判断された場合には、ステップＳ２２に進み、グリップヒータ３０ａ及びシートヒータ３６ａへの給電を停止させる。
【００４９】
続くステップＳ２４では、風力発電機１８の発電電力をバッテリ１６に充電すべくスイッチ４６を切り替える処理であるバッテリ充電処理を行う。なお、上記バッテリセンサの出力値から算出されるバッテリ１６の電圧が規定電圧以上であると判断された場合、バッテリ１６の信頼性が低下する事態を回避すべくバッテリ１６への充電を中断するのが望ましい。
【００５０】
なお、ステップＳ２０、Ｓ２４の処理が完了する場合には、この一連の処理を一旦終了する。
【００５１】
以上詳述した本実施形態によれば、以下の効果が得られるようになる。
【００５２】
（１）グリップヒータ３０ａ及びシートヒータ３６ａの電力供給源をバッテリ１６ではなく風力発電機１８とした。このため、バッテリ１６の給電先からグリップヒータ３０ａ等を除くことができ、バッテリ１６の電力をモータジェネレータ４０の駆動に適切に使用することができる。したがって、バッテリ１６の蓄電量が不足することによって、ユーザの希望する車両走行を適切に実現できなくなる事態の発生を好適に抑制することができる。
【００５３】
（２）車両の走行速度Ｖが高いほどヒータ目標温度を高く設定した。これにより、ヒータ目標温度が高く設定されることによって増大するグリップヒータ３０ａ及びシートヒータ３６ａの消費電力を賄うことができ、ひいてはユーザの快適性を好適に向上させることができる。
【００５４】
（３）外気温度Ｔｏｕｔが高いほどヒータ目標温度を低く設定した。これにより、ユーザの快適性を適切に維持することができる。更に、上記車両の走行速度Ｖ及び外気温度Ｔｏｕｔに基づきヒータ目標温度を自動的に設定する手法によれば、例えばユーザ自らがヒータ目標温度を調節する手法と比較して、ユーザの操作負担を低減することもできる。
【００５５】
（４）外気温度Ｔｏｕｔが規定温度Ｔα以上になると判断された場合、グリップヒータ３０ａ及びシートヒータ３６ａへの給電を停止させた。これにより、ユーザの快適性を適切に維持することができる。
【００５６】
（５）グリップ温度及びシート温度のうちいずれかがヒータ目標温度以上になると判断された場合、これらヒータへの給電を停止させるとともに、上記バッテリ充電処理を行った。これにより、バッテリ１６の蓄電量を増大させることができ、ひいては車両の航続距離が長くなる等、ユーザの希望する車両走行を適切に実現することができる。
【００５７】
（６）車両の走行速度Ｖが高くなるほど送風通路１８ａの通路面積を小さくする処理である通路面積可変処理を行った。これにより、車両の走行に伴い空気抵抗が増大したり、風力発電機１８の信頼性が低下したりする事態の発生を極力抑制することができる。
【００５８】
（その他の実施形態）
なお、上記実施形態は、以下のように変更して実施してもよい。
【００５９】
・車両の走行速度Ｖの算出手法としては、上記実施形態に例示したものに限らない。例えば、エンコーダ６４の出力値に基づくモータジェネレータ４０の回転子の回転速度と、変速装置４２の変速比とに基づき算出してもよい。
【００６０】
・上記実施形態において、グリップヒータ３０ａやシートヒータ３６ａへの給電の停止を指示すべくユーザによって操作されるスイッチを設けてもよい。
【００６１】
・上記実施形態において、先の図４のステップＳ１０やＳ１４の処理を除いてもよい。
【００６２】
・上記実施形態では、ヒータ基本温度に車速補正係数Ｋｖ及び外気温補正係数Ｋｔを乗算することでヒータ目標温度を算出したがこれに限らない。例えば、ヒータ基本温度に車速補正温度及び外気温補正温度を加算することでヒータ目標温度を算出してもよい。ここで車速補正温度は、図６（ａ）に示すように、車両の走行速度Ｖが第１の所定速度Ｖ１未満である場合に０よりも低い温度（固定値）となり、車両の走行速度Ｖが第１の所定速度Ｖ１以上であって且つ第１の所定速度Ｖ１よりも高い第２の所定速度Ｖ２以下となる場合に車両の走行速度Ｖに比例して高くなり、車両の走行速度Ｖが第２の所定速度Ｖ２を上回る場合に０よりも高い温度（固定値）となるように設定すればよい。一方、外気温補正温度は、図６（ｂ）に示すように、外気温度Ｔｏｕｔが第１の所定温度Ｔ１未満である場合に０よりも高い温度（固定値）となり、外気温度Ｔｏｕｔが第１の所定温度Ｔ１以上であって且つ第１の所定温度Ｔ１よりも高い第２の所定温度Ｔ２以下となる場合に外気温度Ｔｏｕｔに比例して小さくなり、外気温度Ｔｏｕｔが第２の所定温度Ｔ２を上回る場合に０よりも低い温度（固定値）となるように設定すればよい。
【００６３】
・上記実施形態において、グリップ温度及びシート温度の双方がヒータ目標温度よりも低いと判断された場合にグリップヒータ３０ａ及びシートヒータ３６ａの双方への給電を継続したがこれに限らない。例えば、グリップヒータ３０ａ及びシートヒータ３６ａと風力発電機１８とを接続する電気経路のそれぞれを各別に接続又は遮断する手段（スイッチ）を備え、グリップ温度及びシート温度のうちいずれかがヒータ目標温度以上になると判断された場合、ヒータ目標温度以上となったヒータへの給電を停止させるようにしてもよい。また、上記実施形態においてグリップヒータ３０ａ及びシートヒータ３６ａのヒータ目標温度を共通な値として設定したがこれに限らず、グリップヒータ３０ａ及びシートヒータ３６ａについて各別に設定してもよい。
【００６４】
・上記実施形態では、ヒータ目標温度を、車両の走行速度Ｖ及び外気温度Ｔｏｕｔの双方に基づき算出したがこれに限らない。例えば、車両の走行速度Ｖ及び外気温度Ｔｏｕｔのうちいずれか一方に基づき算出してもよい。
【００６５】
・上記実施形態において、ヒータ目標温度を算出するためのパラメータとして、車両の走行速度Ｖに代えてスロットル操作量を用いてもよい。この場合、スロットル操作量が大きいほど、上記車速補正係数Ｋｖを大きく設定すればよい。これは、スロットル操作量と車両の走行速度Ｖとが相関を有することに基づくものである。つまり、スロットル操作量が大きくなると、モータジェネレータ４０の生成トルクが増大するため、車両の走行速度Ｖが高くなる傾向にある。
【００６６】
・グリップ温度やシート温度の制御手法としては、上記実施形態に例示したものに限らない。例えば、ヒータ目標温度を指示すべくユーザによって操作される指示手段（スイッチやダイヤル等）を備え、指示されたヒータ目標温度にグリップ温度等を制御するようにしてもよい。この場合、ヒータ目標温度の上限値を設定し、車両の走行速度Ｖが高いほど上記上限値を高くすればよい。
【００６７】
・上記実施形態では、風力発電機１８と、グリップヒータ３０ａ及びシートヒータ３６ａとの間にスイッチ４６を設けたがこれに限らない。例えば、グリップヒータ３０ａ及びシートヒータ３６ａと、風力発電機１８とを電気経路で直接接続し、風力発電機１８の発電電力をグリップヒータ３０ａ及びシートヒータ３６ａに常時供給するようにしてもよい。この場合、車両の走行速度Ｖが高い運転領域においてグリップ温度等が過度に上昇するのを回避すべく、上記通路面積可変処理によって送風通路１８ａの通路面積を小さくする処理を行うのが望ましい。
【００６８】
・上記実施形態において、風力発電機１８を直流発電のものとしてもよい。
【００６９】
・風力発電機１８が設けられる場所としては、上記実施形態に例示したものに限らず、例えばフロントカバー３２の車両前方側に送風通路１８ａの導入部を設けるべく、フロントカバー３２及びレッグシールド３４で囲まれた空間に風力発電機１８を設けてもよい。
【００７０】
・本願発明が適用される車両としては、２輪車に限らず、例えば３輪車等であってもよい。要は車両の操縦席と外部とを遮断する部材を備えない車両であればよい。この場合であっても、車両の走行に伴いユーザに風が吹き付けられる状況下、ユーザの快適性を向上させることができる。
【符号の説明】
【００７１】
１０…電動２輪車両、１６…バッテリ、１８…風力発電機、３０ａ…グリップヒータ、３６ａ…シートヒータ、１８ａ…送風通路、１８ｂ…風車、１８ｄ…通路用アクチュエータ、４０…モータジェネレータ、５０…ＥＣＵ（電動車両の制御装置の一実施形態）。
【図１】
2011173575.tif 000003
【図２】
2011173575.tif 000004
【図３】
2011173575.tif 000005
【図４】
2011173575.tif 000006
【図５】
2011173575.tif 000007
【図６】
2011173575.tif 000008